(57)【要約】【課題】  本発明は、風呂の丸める事の出来る蓋の、内部に溜まった水を強制的に排水する器具を提供する。【解決手段】  筒状の筐体を設け、空気が漏れないように低反発素材のような性質を持った材質で、幅広Ｌ状に形成した物を設け、この幅広Ｌ状に形成した物に密着Ａ面を設け、密着Ａ面に直交して密着Ｂ面を設け、密着Ｂ面には密着Ａ面との境界を根元にする形で、前・左・右・底の一定領域を残し凹みの加圧スペースを設け、この幅広Ｌ状の物を、前記筐体の片方の開口部を塞ぐように設置して反対側の開口部は取り外し式の蓋をし、筐体の内部に血圧計などに応用される小型のコンプレッサーと、コンプレッサーを動かすモーターに電線を繋いだ物を設置し、筐体にスイッチを設け、スイッチを入れるとモーターが回るようにし、モーターを回すと直結しているコンプレッサーで、加圧スペースに空気を強制的に送ることを特長とする内部に溜まった水の強制排水器。【選択図】図１
2017000685.tif 000002
【特許請求の範囲】
【請求項１】
筒状の筐体を設け、空気が漏れないように低反発素材のような性質を持った材質で、幅広Ｌ状に形成した物を設け、この幅広Ｌ状に形成した物に密着Ａ面を設け、密着Ａ面に直交して密着Ｂ面を設け、密着Ｂ面には密着Ａ面との境界を根元にする形で、前・左・右・底の一定領域を残し凹みの加圧スペースを設け、この幅広Ｌ状の物を、前記筐体の片方の開口部を塞ぐように設置して反対側の開口部は取り外し式の蓋をし、筐体の内部に血圧計などに応用される小型のコンプレッサーと、コンプレッサーを動かすモーターに電線を繋いだ物を設置し、筐体にスイッチを設け、スイッチを入れるとモーターが回るようにし、モーターを回すと直結しているコンプレッサーで、加圧スペースに空気を強制的に送ることを特長とする内部に溜まった水の強制排水器。
【発明の詳細な説明】
【技術分野】
【０００１】  本発明は、風呂の丸める事の出来る蓋の、内部に溜まった水を強制的に排水する器具である。
【背景技術】
【０００２】  従来、風呂を沸かすと湯が温まったり冷めたりし、風呂蓋の裏面の縁に有る小穴状の通気孔から、内部に水が入り溜まってしまう。
溜まった水を抜くとき、風呂蓋を壁などに立て掛け通気孔を下にして、水が抜けるのを待った。
【発明の開示】
【発明が解決しようとする課題】
【０００３】    そのため次のような問題点があった。
（１）風呂蓋の内部に溜まった水は、蓋を立てて蓋の両サイド（立てた状態ではお            のずと上下になる）に設けられた通気孔から、抜けていくのを待つ他無かっ            た。
（２）抜け終えても、蓋の最下端に残った水は表面張力により少し残り、抜けきっ            てしまう事はない。
（３）小さな通気孔以外を全て閉ざされており、内部に溜まった水の乾燥は非常に            時間が掛かり、次の使用開始時までに乾燥しきる事はほとんど無い。
（４）風呂蓋は、風呂の湯により温められるので、内部に溜まった水は腐敗し易く            衛生的ではない。
本発明は、以上の問題点を解決しようとするものである。
【課題を解決するための手段】
【０００４】  両方向に開口した筒状の筐体を想定した場合において、一方の開口部は取り外し式の蓋、即ち筐体蓋で閉じられ、他方の開口部は幅広Ｌ状に形成された物、即ち押し当て部で固定的に塞がる。【０００５】  筐体の内部に電池室・血圧計などに応用される小型のコンプレッサー・コンプレッサーを動かすモーターが電線で繋がれて設置される。電池室に設けられたスイッチは、上端部を筐体の外に顔を出す。【０００６】  押し当て部には密着Ａ面と密着Ｂ面が有り、密着Ａ面に直交して密着Ｂ面を成し、密着Ｂ面には、密着Ａ面との境界を根元にする形で、前・左・右・底の一定領域を残し凹みの空間、即ち加圧スペースが形成される。【０００７】  加圧スペースには、押し当て部に有る密着Ａ面の下を貫通して、コンプレッサーから強制的に送り出されて来る空気の、空気吹き出し口が顔をのぞかせる。【０００８】  Ｌ状に形成された押し当て部は、風呂蓋の各風呂蓋片の縁に設けられた小穴状の通気孔を、塞ぐように押し当てられて使用される物であり、その際、風呂蓋の縁辺の凹凸でも空気が漏れないように密着することが非常に大事な点である。それ故、低反発素材のような性質を持った材質で、形成される必要が有る。
【発明の効果】
【０００９】    掃除の時間短縮が出来、衛生を保つことが出来る。
【発明を実施するための形態】
【００１０】  両方向に開口した筒状の筐体（４）を想定した場合において、一方の開口部は取り外し式の蓋、即ち筐体蓋（８）で閉じられ、他方の開口部は押し当て部（１）で固定的に塞がる。図５参照
この筐体（４）の内部に電池室（１３）・血圧計などに応用される小型のコンプレッサー（９）・コンプレッサーを動かすモーター（１０）に電線（２６）を繋いで設置される。電池室（１３）に設けられたスイッチ（５）は、上端部を筐体（４）の外に顔を出す。図４、図５、図６参照
【００１１】  押し当て部（１）は、幅広Ｌ状に形成された一片で、空気が漏れないように、低反発素材のような性質を持った材質で形成される必要が有る。
【００１２】  押し当て部（１）には密着Ａ面（２０）と密着Ｂ面（２１）が有り、密着Ａ面（２０）に直交して密着Ｂ面（２１）を成し、密着Ｂ面（２１）には密着Ａ面（２０）との境界を根元にする形で、前・左・右・底の一定領域を残し凹みの空間、即ち加圧スペース（２）が形成される。図１参照
【００１３】  加圧スペース（２）には、押し当て部（１）に有る密着Ａ面（２０）の下を貫通して、コンプレッサー（９）から強制的に送り出されて来る空気の、空気吹き出し口（３）が顔をのぞかせる。  図１参照
【００１４】  Ｌ状に形成された押し当て部（１）は、風呂蓋（１４）の各風呂蓋片（１６）の縁に設けられた小穴状の通気孔（１５）を、塞ぐように押し当てられて使用される物であり、その際、風呂蓋（１４）の縁辺の凹凸でも空気が漏れないように密着することが非常に大事な点である。それ故、低反発素材のような性質を持った材質で形成される必要が有る。
本発明は、以上の構成よりなっている。
本発明を使用するときは、本発明に電池をセットし、風呂蓋（１４）の裏側を自分と向き合う様にして風呂蓋片（１６）を縦の状態にする、図２参照    そうするとおのずと通気孔（１５）が上側と下側になり通気孔（１５）が見安くなる。下側になった通気孔（１５）が更に低くなるよう風呂蓋（１４）を自分側に傾け、斜めにする。  図２参照
次に、密着Ｂ面（２１）に有る加圧スペース（２）を上側に来た通気孔（１５）に被る様に押し当てながら、密着Ａ面（２０）を側面（２５）に密着させる。  図２参照
空気が漏れないようにする必要が有るので、密着Ａ面（２０）と側面（２５）がより密着するように、下方向に軽く押し当てながら、密着Ｂ面（２１）も更に密着するように風呂蓋片（１６）と押し当て部（１）を挟み持つ。  図２参照
図９に示すよう、スイッチ（５）を入側に移動すると通電してモーター（１０）が回り、直結しているコンプレッサー（９）で加圧スペース（２）に空気が送られる。
密着Ａ面（２０）と密着Ｂ面（２１）は風呂蓋片（１６）に密着状態なので、送られて来た空気は通気孔（１５）に入っていく。強制的に空気が送られて来るので、風呂蓋片（１６）の内部の気圧が大気圧（１９）より高く成るので、溜まり水（７）は下側に来た通気孔（１５）から排水される。  図２参照
溜まり水（７）が出終わったら、他の風呂蓋片（１６）に入った溜まり水（７）も同じように排水していく。終了するときは、図８に示す様にスイッチを切に移動し通電を止める。
ここでは風呂蓋片（１６）に入った溜まり水（７）を一本ずつ排水していったが、押し当て部（１）と加圧スペース（２）の幅を広くし、複数本の風呂蓋片（１６）の溜まり水（７）を排水する事も可能である。
以上を特徴とする内部に溜まった水の強制排水器である。
【図面の簡単な説明】
【００１５】
【図１】  本発明の斜視図
【図２】  本発明において、加圧排水をしている状態を示す内部構造図
【図３】  本発明を使用開始するに当たって、風呂蓋の蓋片の裏面に密着Ｂ面を置く形で、押し当てている状態を示す平面図
【図４】  本発明の平面図
【図５】  本発明の側面図
【図６】  本発明の正面図
【図７】  本発明の筐体を透明と仮定したときの、電池、モーター、コンプレッサーの配置平面図
【図８】  本発明においてスイッチを切った状態を示す外観平面図
【図９】  本発明においてスイッチを入れた状態を示す外観平面図
【図１０】  風呂蓋の表面を示す斜視図
【図１１】  風呂蓋の裏面を示す斜視図
【符号の説明】
【００１６】１    押し当て部                            １６  風呂蓋片
２    加圧スペース                          １７  押す向き
３    空気吹き出し口                        １８  スプリング
４    筐体                                  １９  大気圧
５    スイッチ                              ２０  密着Ａ面
６    指                                    ２１  密着Ｂ面
７    溜まり水                              ２２  空気の流れ
８    筐体蓋                                ２３  加圧送風路
９    コンプレッサー                        ２４  仕切り
１０  モーター                              ２５  側面
１１  電池                                  ２６  電線
１２  コンプレッサーとモーター室
１３  電池室
１４  風呂蓋
１５  通気孔
【図１】
2017000685.tif 000003
【図２】
2017000685.tif 000004
【図３】
2017000685.tif 000005
【図４】
2017000685.tif 000006
【図５】
2017000685.tif 000007
【図６】
2017000685.tif 000008
【図７】
2017000685.tif 000009
【図８】
2017000685.tif 000010
【図９】
2017000685.tif 000011
【図１０】
2017000685.tif 000012
【図１１】
2017000685.tif 000013
【手続補正書】
【提出日】平成27年8月3日(2015.8.3)
【手続補正１】
【補正対象書類名】明細書
【補正対象項目名】００１４
【補正方法】変更
【補正の内容】
【００１４】  Ｌ状に形成された押し当て部（１）は、風呂蓋（１４）の各風呂蓋片（１６）の縁に設けられた小穴状の通気孔（１５）を、塞ぐように押し当てられて使用される物であり、その際、風呂蓋（１４）の縁辺の凹凸でも空気が漏れないように密着することが非常に大事な点である。それ故、低反発素材のような性質を持った材質で形成される必要が有る。
本発明は、以上の構成よりなっている。
本発明を使用するときは、本発明に電池をセットし、風呂蓋（１４）の裏側を自分と向き合う様にして風呂蓋片（１６）を縦の状態にする、図２参照    そうするとおのずと通気孔（１５）が上側と下側になり通気孔（１５）が見易くなる。下側になった通気孔（１５）が更に低くなるよう風呂蓋（１４）を自分側に傾け、斜めにする。  図２参照
次に、密着Ｂ面（２１）に有る加圧スペース（２）を上側に来た通気孔（１５）に被る様に押し当てながら、密着Ａ面（２０）を側面（２５）に密着させる。  図２参照
空気が漏れないようにする必要が有るので、密着Ａ面（２０）と側面（２５）がより密着するように、下方向に軽く押し当てながら、密着Ｂ面（２１）も更に密着するように風呂蓋片（１６）と押し当て部（１）を挟み持つ。  図２参照
図９に示すよう、スイッチ（５）を入側に移動すると通電してモーター（１０）が回り、直結しているコンプレッサー（９）で加圧スペース（２）に空気が送られる。
密着Ａ面（２０）と密着Ｂ面（２１）は風呂蓋片（１６）に密着状態なので、送られて来た空気は通気孔（１５）に入っていく。強制的に空気が送られて来るので、風呂蓋片（１６）の内部の気圧が大気圧（１９）より高く成るので、溜まり水（７）は下側に来た通気孔（１５）から排水される。  図２参照
溜まり水（７）が出終わったら、他の風呂蓋片（１６）に入った溜まり水（７）も同じように排水していく。終了するときは、図８に示す様にスイッチを切に移動し通電を止める。
ここでは風呂蓋片（１６）に入った溜まり水（７）を一本ずつ排水していったが、押し当て部（１）と加圧スペース（２）の幅を広くし、複数本の風呂蓋片（１６）の溜まり水（７）を排水する事も可能である。
以上を特徴とする内部に溜まった水の強制排水器である。
【手続補正書】
【提出日】平成28年9月5日(2016.9.5)
【手続補正１】
【補正対象書類名】特許請求の範囲
【補正対象項目名】全文
【補正方法】変更
【補正の内容】
【特許請求の範囲】
【請求項１】
筒状の筐体であって、両端の開口部の、
一方は、取り外し式の蓋即ち筐体蓋で閉じられ、
他方は、各片が厚みを持つ長手片と短手片から成る幅広Ｌ字状に形成された押し当て部で閉じられており、
押し当て部は、
Ｌ字状の短手外側面で筒筐体の開口部を閉じており、短手内側面が風呂蓋片の短手側面に押し当てて密着させる密着Ａ面を成し、
Ｌ字状の長手内側面は、風呂蓋片の裏側の短手縁際に設けてある小さな通気孔を塞ぐ形で押し当てて密着させる密着Ｂ面を成すが、
密着Ｂ面は、密着Ａ面を背にして前・左・右の三方の縁域を残して、密着Ａ面を根元とする一定領域に凹み空間を設けて加圧スペースと成し、
この加圧スペースは、密着Ａ面側の空気吹き出し口〜筒筐体へ貫通する小通路即ち加圧送風路でコンプレッサーと繋がるのであるが、
筒筐体の内部には、
押し当て部側から順に小型コンプレッサー、モーター、及び仕切りを挟んで配線で繋がる電池が設置されて、
このように形成された押し当て部を風呂蓋片の一方の短手側に押し当て密着させて、スイッチ・オンでコンプレッサーから加圧送風路〜空気吹き出し口〜加圧スペース〜風呂蓋の通気孔を通じて送り出される空気圧によって、風呂蓋片の他方の通気孔から内部の水を排出させることを特徴とする内部に溜まった水の強制排出器。
【手続補正２】
【補正対象書類名】明細書
【補正対象項目名】０００１
【補正方法】変更
【補正の内容】
【０００１】  本発明は、連結された複数の蓋片から成って丸め巻くことのできる風呂蓋の、各蓋片の内部に溜まった水を、自然乾燥に任せず、風呂蓋片の裏面の短手縁際にある通気孔から、強制的に排出させるための器具に関するものである。